(57)【要約】  無線通信装置のためのレイク受信機におけるフィンガ割り当ての方法は、パイロット（ＣＰＩＣＨ）を検出し、その電力を第１の閾値に照らして比較するステップ（２１）と、その第１の閾値に基づいて、第１の有効パスを検出するステップ（２２）と、その第１の有効パスをレイク受信機の第１のフィンガに割り当てるステップ（２３）と、観測窓を決定するステップ（２４）と、セカンダリパスの検出のために第１の閾値と異なり、その第１の閾値より低い第２の閾値を適用するステップ（２５）と、検出されたセカンダリパスにレイクフィンガを割り当てるステップと、を有する。【選択図】  図３
2012520586.tif 000002
【特許請求の範囲】
【請求項１】
無線通信装置のためのレイク受信機におけるフィンガ割り当ての方法であって、
パイロット（ＣＰＩＣＨ）を検出し、その電力を第１の閾値に照らして比較するステップ（２１）と、
前記第１の閾値に基づいて、第１の有効パスを検出するステップ（２２）と、
前記第１の有効パスを前記レイク受信機の第１のフィンガに割り当てるステップ（２３）と、
観測窓を決定するステップ（２４）と、
セカンダリパスの検出のために前記第１の閾値と異なり、その第１の閾値より低い第２の閾値を適用するステップ（２５）と、
検出されたセカンダリパスにレイクフィンガを割り当てるステップと、
を有することを特徴とする方法。
【請求項２】
前記観測窓は固定されている、ことを特徴とする請求項１に記載の方法。
【請求項３】
前記観測窓は可変である、ことを特徴とする請求項１に記載の方法。
【請求項４】
携帯電話において用いられることを特徴とする請求項１から３のいずれか１項に記載の方法。
【請求項５】
ポータブル・デジタル・アシスタント（ＰＤＡ）の装置において用いられることを特徴とする請求項１から３のいずれか１項に記載の方法。
【請求項６】
パイロット（ＣＰＩＣＨ）を検出し、その電力を第１の閾値に照らして比較する手段と、
前記第１の閾値に基づいて、第１の有効パスを検出する手段（２２）と、
前記第１の有効パスをレイク受信機の第１のフィンガに割り当てるための手段（２３）と、
観測窓を決定するための手段（２４）と、
前記第１の閾値より低い第２の閾値に基づいてセカンダリパスを検出する手段と、
検出された前記セカンダリパスにレイクフィンガを割り当てる手段と、
を有することを特徴とする無線通信装置のためのレイク受信機。
【請求項７】
前記観測窓は固定されている、ことを特徴とする請求項６に記載のレイク受信機。
【請求項８】
前記観測窓は可変である、ことを特徴とする請求項６に記載のレイク受信機。
【請求項９】
無線通信装置のためのレイク受信機を有する、無線通信ネットワークのためのユーザ装置であって、
パイロット（ＣＰＩＣＨ）を検出し、その電力を第１の閾値に照らして比較する手段と、
前記第１の閾値に基づいて、第１の有効パスを検出する手段（２２）と、
前記第１の有効パスを前記レイク受信機の第１のフィンガに割り当てるための手段（２３）と、
観測窓を決定するための手段（２４）と、
前記第１の閾値より低い第２の閾値に基づいてセカンダリパスを検出する手段と、
検出された前記セカンダリパスにレイクフィンガを割り当てる手段と、
を含むことを特徴とする、ユーザ装置。
【請求項１０】
無線通信装置のためのレイク受信機を有する携帯電話であって、
パイロット（ＣＰＩＣＨ）を検出し、その電力を第１の閾値に照らして比較する手段と、
前記第１の閾値に基づいて、第１の有効パスを検出する手段（２２）と、
前記第１の有効パスを前記レイク受信機の第１のフィンガに割り当てるための手段（２３）と、
観測窓を決定するための手段（２４）と、
前記第１の閾値より低い第２の閾値に基づいてセカンダリパスを検出する手段と、
検出された前記セカンダリパスにレイクフィンガを割り当てる手段と、
を有することを特徴とする、携帯電話。
【発明の詳細な説明】
【技術分野】
【０００１】
本発明は、無線通信の分野、特に第３世代、そしてより具体的には、反射パスに対してレイク受信機のフィンガを割り当てる方法に関する。
【背景技術】
【０００２】
知られているように、無線通信では、信号は、多くの場合、多数のパスで互いにずれた多くの信号の受信機内での受信の原因となる、散乱、反射、フェージングなどの対象である。
【０００３】
処理後に多数のパスに起因する反射の基本的な寄与の全てを合計することを可能とするために、互いにずれた様々な反射を処理するための多数のユニット（フィンガ）を含むレイク受信機を用いて、これらの信号の反射や多様な散乱は処理される。
【０００４】
図１は、基地局１により放射された同一の信号と異なる、多数（Ｎ個）の反射パスを処理するように設計されたレイク受信機３を備えるユーザ装置（Ｕｓｅｒ  Ｅｑｕｉｐｍｅｎｔ）２の状態を図解している。明確にするために、３つのパス、それぞれｌ１〜ｌ３、のみが図１では図解され、３つのパスは、ずれた時に様々な振幅を伴って受信機内に到来する、同一の信号からの３つの相異なる寄与に相当する。
【０００５】
通信プロトコル、そして特に３ＧＰＰは、基地局から来る呼出し信号を見落とすことを回避するように、ユーザ装置がアイドルフェーズとオペレーティングフェーズとを切り替えることを要求している。この点において、バッテリの寿命の節約という明らかな関心事において、オペレーティングのフェーズが最小時間だけ持続し、結果として、レイク受信機の様々な「フィンガ」についての割り当て処理が可能な限り迅速に実行されることが重要である。
【０００６】
一般的に、レイク受信機のフィンガの割り当ては、パイロット（「共通パイロットチャネル」（ＣＰＩＣＨ））とその起こり得る反射との検出メカニズムを用いて実行される。この目的で、受信信号の電力の測定が実行され、様々な反射パスを検出するための、図２に示されるような、閾値との比較が実行される。図２は、信号の直接受信（見通し）に対応する、大きな振幅の第１の有効パスの後に、より低い電力の２つの反射パスが続いていることを示している。閾値検出のメカニズムは、誤検出（一定誤警報率（ＣＦＡＲ））を回避するように規定されるが、図２の２番目の反射の場合のように、より低い電力を有する１つ以上のパスを省略することもできる。
【０００７】
処理の効率を維持するために、その増加がバッテリーの寿命の期間を明らかに脅かすかもしれない、パスの処理時間の増加が考えられる。
【０００８】
この理由のため、オペレーション期間の削減を満たすことができる、より効率的な処理を有することができることが望まれる。
【発明の概要】
【発明が解決しようとする課題】
【０００９】
本発明の目的は、反射パスの新しい検出方法と、様々の検出されたパスに対するレイク受信機のフィンガ割り当てを実行することである。
【００１０】
この発明のもう１つの目的は、電力消費を削減し、バッテリの寿命を延ばす可能性が高い反射パスの検出の方法と装置を実現することにある。
【００１１】
反射パスの検出とレイク受信機のフィンガの帰属のためのページングの改善された技術を提示する携帯電話を提供することは、この発明のもう１つの目的である。
【課題を解決するための手段】
【００１２】
本発明はこれらの目的を、無線通信装置のためのレイク受信機において、
−パイロットの（ＣＰＩＣＨ）を検出し、この電力の第１の閾値と照らして比較するステップ、
−その第１の閾値に基づいて、第１の有効パスを検出するステップ、
−その第１の有効パスをレイク受信機における第１のフィンガへ割り当てるステップ、
−観測窓（observation window）を決定するステップ、
−セカンダリパスの検出のため、第１の値と異なり、その第１の値より低い第２の閾値を適用するステップ、
−検出されたセカンダリパスへレイクフィンガを割り当てるステップ、
を有するフィンガの割り当ての方法を用いて達成する。
【００１３】
１つの実施形態では、観測の窓は固定されている。もう１つの方法としては、それは可変であってもよい。
【００１４】
本発明は、また、無線通信装置のための、
−パイロット（ＣＰＩＣＨ）を検出し及びその電力を第１の閾値と照らして比較する手段、
−その第１の閾値に基づく、第１の有効パスを検出する手段、
−その第１の有効パスをレイク受信機における第１のフィンガへ割り当てるための手段、
−観測窓（observation window）を決定するための手段、
−第１の閾値とより低い第２の閾値に基づいて、セカンダリパスを検出する手段、
−検出されたセカンダリパスへレイクフィンガを割り当てるための手段、
を含むレイク受信機を実現する。
【００１５】
本発明は、特に、携帯電話もしくは装置の実施形態に適合され、またはパーソナル・デジタル・アシスタント（ＰＤＡ）の装置にも適合される。
【００１６】
本発明の他の特徴、目的及び利点は、比制限的な例としてのみ与えられる、以下の説明と図面の読解を伴って現れるであろう。
【図面の簡単な説明】
【００１７】
【図１】レイク受信機の基本的な機能を示す図。
【図２】同一信号の複数のパスの検出を示す図。
【図３】本発明に従うパス検出とレイク受信機のフィンガ割り当ての方法を示す図。
【図４】テストの手続における本発明による方法の実装を示す図。
【発明を実施するための形態】
【００１８】
例えば３ＧＰＰネットワークのための移動電話またはユーザ装置の場合において与えられる、反射パスへのレイク受信機のフィンガの割り当ての方法を説明する。明らかに、以下で説明する方法は移動電話に適用されるが、それはまた、特にポータブル・ドキュメント・アシスタントなどのような、無線通信機能を有するあらゆる移動装置に適用されてもよい。本発明は、デジタル回路を用いて、および／または、プログラム又はマイクロプログラムにより命令されるマイクロプロセッサを用いて実現することができる。さらに、装置は、掲示の画面、キーボード、マイク、及び音声出力又はイヤホンのような入出力の手段を備える。
【００１９】
また、移動電話は、特定のパスの個別の処理を可能とする所定数のユニットまたはフィンガ、例えば６又は８フィンガ、を有するレイク受信機を実装することを可能とする、ハードウェア及びソフトウェアの手段を備える。
【００２０】
装置又は移動電話はまた、パイロット信号のずれた反射の検出に基づいて、基地局から生じる複数のパスを識別することを可能とする、パスの検出器を備える。そのようなパス検出器は当業者によく知られており、それについてさらには説明しない。入力データの流れと所定の信号又はパイロットとの相関をとることを可能とする手段を、この検出器が有するということを思いだせば十分である。パス検出器は、基地局から受信された複数の信号の電力レベルと一時的なシフトを測定する。
【００２１】
最後に、装置又は移動電話は、パス検出器により識別された異なるパスに、レイク受信機のフィンガを割り当てることを可能とする手段を備える。
【００２２】
ここで、本発明による、識別される異なるパスへのレイク受信機のフィンガ割り当て方法を説明する。この方法の実装のために、明らかに、ハードウェアおよび／またはソフトウェアの回路（ハードウェア／ソフトウェア）を使用することができるであろう。
【００２３】
ステップ２１において、方法は、従来技術による典型のパイロット（「共通パイロットチャネル」（ＣＰＩＣＨ））の検出を含み、その電力又はエネルギーの測定を実行する。パイロットの検出は、従来の閾値に基づく検出メカニズムを用いて行われる。
【００２４】
それから、ステップ２２において、方法は、続けて、先に述べたパイロットの検出に基づいて、最大電力に対応する第１の有効パスの判定をする。
【００２５】
それから、ステップ２３において、方法は、続けて、ステップ２２で検出された第１の有効パスにレイク受信機の第１のフィンガの割り当てをする。
【００２６】
方法は、その後、ＣＰＩＣＨ検出器の検出の閾値が第１の有効パスの検出に用いられた第１の値と異なる第２の値に位置付けられる、観測窓を決定するステップ２４を続ける。
【００２７】
１つの実施形態では、観測窓は一定の値に固定されている。もう１つの方法としては、可変の幅を想定してもよい。
【００２８】
それから、ステップ２５において、方法は、セカンダリパスの検出に移るために、閾値の第２の値を適用する。
【００２９】
それから、ステップ２６において、方法は、検出されたセカンダリパスへのレイクフィンガの割り当てを更新する。
【００３０】
図４を参照して、本発明の方法の実装について説明する。３つの伝搬路、それぞれＰ１、Ｐ２、Ｐ３が示される８０チップ、すなわち、６０チップ＋２０チップに対応する１期間の間、伝搬パスの探索が行われることが分かる。（参照４１により表される）黒い部分は、それが唯一用いられた場合パスＰ１の検出が可能となるのみであろう、第１の閾値の値が使用される範囲を定めている。
【００３１】
８チップの観測窓は、パスＰ１の周囲に定められ、より正確には、Ｐ１の前の３チップの期間とＰ１の後の５チップの期間とを備えることが分かる。
【００３２】
第２の閾値は参照４２で表され、図４の図解上で、ステップ２４の時に実装される窓開けのおかげで伝搬パスＰ２も検出される可能性が高く、一方で、同一の電力で表されるにもかかわらず、伝搬パスＰ３は検出されないであろうことが分かる。
【００３３】
このように、本方法の有効性が認められる。
【００３４】
付随的に、図４の図解は、説明した方法の使用をハイライトすることを可能とするためのテストの手順の原理を提供している。
【図１】
2012520586.tif 000003
【図２】
2012520586.tif 000004
【図３】
2012520586.tif 000005
【図４】
2012520586.tif 000006
【国際調査報告】
2012520586.tif 000007
2012520586.tif 000008